【手続補正書】
【提出日】平成18年1月19日(2006.1.19)
【手続補正１】
【補正対象書類名】明細書
【補正対象項目名】請求項８
【補正方法】変更
【補正の内容】
【請求項８】  前記地図情報処理端末は、前記の登録された前記表示設定情報を、選択又は変更する手段と、前記ベクトル地図情報を登録、変更する手段を有することを特徴とする請求項４乃至７のいずれか１項に記載の地図情報処理システム。
【手続補正２】
【補正対象書類名】明細書
【補正対象項目名】００２４
【補正方法】変更
【補正の内容】
【００２４】
ここで、クライアントシステム１２−１〜１２−Ｎは、夫々クライアント端末１−１〜１−Ｎ（以下において、クライアント端末１−１と略記す。）とクライアント端末記憶装置２−１〜２−Ｎ（以下において、クライアント端末記憶装置２−１と略記する。）とから構成され、お互いにバスにより直接接続されている。このクライアントシステム１２−１には、一般的なパソコンが使用され、ユーザ毎に配置される。更に、各クライアント端末１−１には、地図情報処理プログラム１５が搭載されており、クライアント端末記憶装置２−１には、各ユーザのための地図の表示設定情報及び個人で登録利用する地図情報が保存されている。
【手続補正３】
【補正対象書類名】明細書
【補正対象項目名】００３９
【補正方法】変更
【補正の内容】
【００３９】
ＧＩＳエンジン４０は、読み出された各データを使い、指定された範囲に対し、指定されたシンボル等で地図図形を作成した後、地図画像に変換する。そして、該地図画像は、指定された範囲に基づいて作成された地図範囲情報と共に送信情報Ｄ１５に含められる。また、該地図図形の属性情報は、ベクトル地図図形・属性情報データベースＤ２０から別に抽出され図形属性情報Ｄ１７とされ、最後に、ユ−ザに対する連絡メッセージＤ１８が作成される。その後、地図画像・地図範囲Ｄ１６、地図属性情報Ｄ１７、メッセージＤ１８を含むクライアントへの送信情報Ｄ１５がクライアントシステム１２−１へ送信される。
【手続補正４】
【補正対象書類名】明細書
【補正対象項目名】００４０
【補正方法】変更
【補正の内容】
【００４０】
次に、図４は、図１に示された地図情報処理システムにおけるクライアントシステム１２−１の処理概要について示している。なお、図１で説明したように、クライアントシステム１２−１は、クライアント端末１−１とクライアント端末記憶装置２−１からなり、プログラムの処理はクライアント端末で実施され、情報の保存はクライアント端末記憶装置２−１で実施されるため、ここでは、処理と保存情報を分けて説明するが、一般的には、クライアント端末とその記憶装置を一体にして、クライアントシステム１２−１と称する。
【手続補正５】
【補正対象書類名】明細書
【補正対象項目名】００４２
【補正方法】変更
【補正の内容】
【００４２】
この構成において、クライアント端末１−１の処理する機能には、サイト別管理情報Ｄ４７をクライアント端末記憶装置２−１から読み込み、プロバイダのサーバシステム１１、組織内サーバシステム１３、又クライアント端末記憶装置２−１に対するリクエスト情報Ｄ１２、Ｄ２２、Ｄ２３を作成し、送信する機能がある。また、このリクエストに対する処理結果を地図情報Ｄ４４、Ｄ４５、Ｄ４６としてプロバイダサーバシステム１１、組織内サーバシステム１３、又はクライアント端末記憶装置２−１から受信する。更に、クライアント端末ＧＩＳエンジン５０は、この受信したベクトル地図情報Ｄ４５、Ｄ４６と、サイト別管理情報Ｄ４７にある地図の表示設定情報とを使い地図図形情報を作成し、表示管理情報Ｄ４３のレイヤの重ね合せ順番情報を使い、各地図図形の重ね合わせを行い、その結果の地図図形と属性情報をクライアント端末１−１の表示器６０に表示する機能がある。
【手続補正６】
【補正対象書類名】明細書
【補正対象項目名】００４８
【補正方法】変更
【補正の内容】
【００４８】
また、クライアント端末ＧＩＳエンジン５０は、プロバイダサーバシステム１１から受信した地図画像と、組織内サーバシステム１３及びクライアント端末記憶装置２−１から取得したベクトル地図図形情報にレンダリング処理を行った図形とを、表示管理情報Ｄ４３にあるレイヤ重ね合せ順序により重ね合わせ処理を行い、クライアント端末１−１の表示器６０の表示パネルに指定した範囲の地図図形とその属性情報を表示する。
【手続補正７】
【補正対象書類名】明細書
【補正対象項目名】００４９
【補正方法】変更
【補正の内容】
【００４９】
表示管理情報Ｄ４３に含まれている初期表示ＯＮ／ＯＦＦ・範囲表示情報は、クライアントシステム１２−１起動時に表示する地図表示設定名称及び座標範囲を示している。
【手続補正８】
【補正対象書類名】明細書
【補正対象項目名】００５１
【補正方法】変更
【補正の内容】
【００５１】
図５は、ユーザが使用するクライアント端末の表示器６０に表示される画面の全体を示した図である。図５に示された画面表示例は、地図表示の初期状態を表している。そして、この画面表示例における表示画面は、パネルＰ１乃至Ｐ６によって形成され、図示のように配列されている。この各パネルで入力操作及び表示が夫々行えるようになっている。
【手続補正９】
【補正対象書類名】明細書
【補正対象項目名】００５８
【補正方法】変更
【補正の内容】
【００５８】
情報指示ボタンＦ７は、対象とする図形をクリックし、図形に付属した属性情報を表示するときに使われる。
【手続補正１０】
【補正対象書類名】明細書
【補正対象項目名】００６０
【補正方法】変更
【補正の内容】
【００６０】
図６に示されるプルダウンメニューＨ１２を押すと、予め登録されている地図の表示設定名称一覧が表示される。この中から必要とする表示設定名称を選択し、更に選択指示ボタンＦ１０を押すと、先に図４で説明したように、プロバイダサーバシステム１１、組織内のサーバ３、クライアント端末記憶装置２−１の夫々に、選択した地図表示のリクエストＤ１２、Ｄ２２、Ｄ２３が送信される。そして、プロバイダサーバシステム１１からは、予め設定された地図画像が、また組織内サーバシステム１３またはクライアント端末記憶装置２−１からは、ベクトル地図図形が送信されてくる。
【手続補正１１】
【補正対象書類名】明細書
【補正対象項目名】００７０
【補正方法】変更
【補正の内容】
【００７０】
図５において、パネルＰ３に表示されたレイヤ名の左側にある２つの設定ボックスの右ボックスのチェックマークをはずし、当該レイヤの図形を非表示とした場合には、該当するレイヤの図形は、非表示になる。保存サイトについても、各ボックスの設定は同様の意味を示している。また、１つのレイヤに対する属性項目の図形表示は、１項目だけ設定可能であり、１つの項目の設定を行うと、他の項目の設定は、非表示となる。
【手続補正１２】
【補正対象書類名】明細書
【補正対象項目名】００７１
【補正方法】変更
【補正の内容】
【００７１】
レイヤのボックスＨ３の下側に設けられた情報保存サイトに係る「クライアントシステム」のボックスＨ５において、その右ボックスにはチェックマークが入っていないので、ここに保存された情報は表示されないことを示している。
【手続補正１３】
【補正対象書類名】明細書
【補正対象項目名】００７２
【補正方法】変更
【補正の内容】
【００７２】
次の情報保存サイトである「プロバイダサーバシステム」に係る２つのボックスＨ６の設定は、その表示レイヤの内訳は展開表示されていない（＋マーク）が、そのレイヤ図形は表示される（Ｖマーク）ということを示している。
【手続補正１４】
【補正対象書類名】明細書
【補正対象項目名】００９０
【補正方法】変更
【補正の内容】
【００９０】
レイヤ登録に続いて、レイヤの属性項目の登録・更新を行う場合は、図１１の「項目登録・更新」の指示ボタンＦ２６を押し、図１２に示されるサブウインドウＷ１２を表示する。
【手続補正１５】
【補正対象書類名】明細書
【補正対象項目名】０１１７
【補正方法】変更
【補正の内容】
【０１１７】
クライアントシステム１２−１では、各装置から取り込だ表示情報に表示順番を設定する。組織内サーバシステム１３又はクライアント端末記憶装置２−１から読み込んだレイヤデータに対しては、保存されている表示設定情報Ｄ３１によりＧＩＳを使い表示設定処理を行う。続いて、ここで作成されたレイヤ別のベクトル表示図形とプロバイダサーバシステム１１から受信した地図画像とを設定された順番で重ね合わせを行う（Ｂ５）。この結果を地図図形表示と属性情報の表示としてクライアントシステム１２−１の表示器６０に画面表示する（Ｂ６）。
【手続補正１６】
【補正対象書類名】明細書
【補正対象項目名】０１２０
【補正方法】変更
【補正の内容】
【０１２０】
先ず、ユーザからの地図表示要求により、クライアントシステム１２−１は、表示器６０の表示画面における設定パネルＰ３、Ｐ４で設定された表示設定を保存した表示設定ファイルを読み込み（Ｓ１）、必要に応じて表示設定パネルＰ３、Ｐ４により表示設定データを設定する（Ｓ２）。
【手続補正１７】
【補正対象書類名】明細書
【補正対象項目名】０１２７
【補正方法】変更
【補正の内容】
【０１２７】
以上に説明してきたように、本実施形態による地図情報処理システムによると、地図情報のプロバイダが、ユーザの利用目的に合わせて、地図情報の選択や地図表示方法の変更をユーザ毎に対応可能とし、地形や市町村境界等の基本的な情報を最新の状態で供給できるようにし、画像情報により地図情報の提供が行われるようになった。一方、地図情報を利用する組織内では、組織内固有の地図情報をベクトル地図方式で作成、変更、保存可能とし、これらの組織内地図情報とプロバイダから入手された地図情報とを重ね合わせて表示可能となった。これにより利用価値の高い地図情報を使用可能とすることができた。
【手続補正１８】
【補正対象書類名】明細書
【補正対象項目名】符号の説明
【補正方法】変更
【補正の内容】
【符号の説明】
１−１〜１−Ｎ…クライアント端末
２−１〜２−Ｎ…クライアント端末記憶装置
３…組織内サーバ
４…組織内サーバ記憶装置
５…ネットワーク
６…インターネット
７…ＷＥＢサーバ
８−１〜８−Ｎ…アプリケーションサーバ
９…データベースサーバ
１０…組織内のサーバ・クライアントシステム
１１…プロバイダのサーバシステム
１２−１〜１２−Ｎ…クライアントシステム
１３…組織内サーバシステム
１５…地図情報プログラム
１６…負荷分散ミドルウエア
１７…ファイアウォ−ル
４０、５０…ＧＩＳエンジン
６０…表示器
Ｄ１〜Ｄ４７…設定情報
Ｂ１〜Ｂ１３…機能実行ブロック
Ｆ１〜Ｆ４５…処理指示ボタン
Ｈ１〜Ｈ５４…情報設定ボックス、又はプルダウンメニューの表示選択ボックス
Ｊ１〜Ｊ３…情報表示エリア
Ｐ１〜Ｐ６…パネル（ウインドウの一区画）
Ｓ１〜Ｓ３４…フローチャートの実行ステップ
Ｗ７〜Ｗ１６…サブウインドウ
【手続補正１９】
【補正対象書類名】図面
【補正対象項目名】図４
【補正方法】変更
【補正の内容】
【図４】
2004227305.tif 000001